(57)【要約】【課題】吊上げ作業中でも階の階高の変更や梁床部材の傾きを調整することのできる吊構造建物の構築方法を提供する。【解決手段】所定の階数範囲の階の梁床部材４０を仮設の吊柱１２０で連結し、所定の高さに支持された水平部材１０と、所定の階数範囲の最上階の梁床部材４０とを仮設の吊柱１２０又は本設の吊柱５０により連結し、また、水平部材１０に反力をとりながら、所定の階数範囲の最下階の梁床部材４０を下降させることが可能な梁部材等昇降装置１３０を設置する工程、を行い、所定の階数範囲の各階を適宜な順序で作業対象階として、作業対象階の仮設の吊柱１２０を撤去する工程と、梁部材等昇降装置１３０により、作業対象階から所定の階数範囲の最下階までの階の梁床部材４０を、作業対象階の階高が所定の高さになるまで下降させる工程と、作業対象階の本設の吊柱５０を構築する工程と、を行う。【選択図】図４
2008280679.tif 000002
【特許請求の範囲】
【請求項１】
所定の階数範囲の各階の梁部材、梁床部材、又は床部材（以下、梁部材等という）が、所定の高さに支持された主ビームから、当該梁部材等と同じ階及びこれより上階の本設の吊柱を介して吊下された構成を有する吊構造建物を構築する方法であって、
前記所定の階数範囲の階の梁部材等を前記本設の吊柱よりも短い仮設の吊柱で連結し、前記所定の高さに支持された主ビームと、前記所定の階数範囲の最上階の梁部材等とを前記仮設の吊柱又は前記本設の吊柱により連結し、また、前記主ビームに反力をとりながら、前記所定の階数範囲の最下階の梁部材等を下降させることが可能な梁部材等昇降装置を設置する梁部材等吊下工程、を行い、
前記主ビームと前記所定の階数範囲の最上階の梁部材等とを前記仮設の吊柱により連結した場合には、前記所定の階数範囲の階の少なくとも一部の階を適宜な順序で作業対象階とし、また、前記主ビームと前記所定の階数範囲の最上階の梁部材等とを前記本設の吊柱により連結した場合には、前記所定の階数範囲の最上階を除く階の少なくとも一部の階を適宜な順序で作業対象階として、
前記作業対象階の仮設の吊柱を撤去する仮設吊柱撤去工程と、
前記梁部材等昇降装置により、前記作業対象階から前記所定の階数範囲の最下階までの階の梁部材等を、前記作業対象階の階高が所定の高さになるまで下降させる梁部材等下降工程と、
前記作業対象階の梁部材等を前記作業対象階の直上の階の梁部材等又は前記主ビームに下方より前記本設の吊柱により接続する本設吊柱接続工程と、を行うことを特徴とする吊構造建物の構築方法。
【請求項２】
前記主ビームは、前記梁部材等の周囲に立設された支持部材により所定の高さに支持されており、
前記梁部材等吊下工程は、
前記支持部材を構築又は設置する支持部材構築工程と、
前記主ビームを搬入又は地上において構築する主ビーム構築工程と、
前記支持部材の上部に反力を取りながら、前記主ビームを揚重可能な揚重装置を設置する揚重装置設置工程と、
前記揚重装置により適宜な高さまで前記主ビームを揚重し、前記主ビームを前記適宜な高さに保持し、前記梁部材等の間を前記仮設の吊柱で連結し、前記所定の階数範囲の最上階の梁部材等を前記本設の吊柱又は前記仮設の吊柱により前記主ビームに連結する梁部材等連結工程と、
前記主ビームに反力をとりながら、前記所定の階数範囲の最下階の梁部材等を支持するとともに下降させることが可能な梁部材等昇降装置を設置する昇降装置設置工程と、
前記主ビーム及び当該主ビームに連結された前記所定の階数範囲の梁部材等を前記揚重装置により、前記主ビームが前記所定の高さになるまで揚重し、前記支持部材に接続する主ビーム揚重工程と、で構成されることを特徴とする請求項１記載の吊構造建物の構築方法。
【請求項３】
前記主ビームは、前記梁部材等の周囲に立設された支持部材により所定の高さに支持されており、
前記梁部材等吊下工程は、
前記支持部材を構築又は設置する支持部材構築工程と、
前記主ビームを搬入又は地上において構築する主ビーム構築工程と、
前記支持部材の上部に反力を取りながら、前記主ビームを揚重可能な揚重装置を設置する揚重装置設置工程と、
前記揚重装置により適宜な高さまで前記主ビームを揚重し、前記主ビームを前記適宜な高さに保持し、前記梁部材等の間を前記仮設の吊柱で連結する梁部材等連結工程と、
前記主ビームに反力をとりながら、前記所定の階数範囲の最下階の梁部材等を支持するとともに下降させることが可能な梁部材等昇降装置を設置する昇降装置設置工程と、
前記主ビーム及び前記梁部材等昇降装置により支持された前記所定の階数範囲の梁部材等を、前記揚重装置により前記主ビームが前記所定の高さになるまで揚重し、前記支持部材に接続する主ビーム揚重工程と、で構成されることを特徴とする請求項１記載の吊構造建物の構築方法。
【請求項４】
前記部材上昇工程は、
前記主ビームを所定の高さに構築又は設置する主ビーム設置工程と、
前記梁部材等の間を前記仮設の吊柱で連結する梁部材等地組工程と、
前記主ビームに反力をとりながら、前記所定の階数範囲の最下階の梁部材等を支持するとともに下降させることが可能な梁部材等昇降装置を設置する昇降装置設置工程と、
前記梁部材等昇降装置により、前記所定の階数範囲の階の梁部材等を上昇させ、前記水平部材と、前記主ビームとを前記仮設の吊柱又は前記本設の吊柱で接続する梁部材等上昇工程と、で構成されることを特徴とする請求項１記載の吊構造建物の構築方法。
【請求項５】
前記梁部材等は、前記支持部材と連結部材を介して接続されており、
前記梁部材等下降工程では、前記作業対象階の本設の吊柱を構築するとともに、前記作業対象階の前記梁部材等と前記支持部材とを前記連結部材により接続することを特徴とする請求項２から４何れかに記載の吊構造建物の構築方法。
【請求項６】
前記梁部材等昇降装置は、前記所定の階数範囲の最下階の梁部材等に下端が定着された吊り材と、
前記主ビームに取り付けられ、前記吊り材の上部を支持するとともに前記吊り材を昇降させることが可能な昇降機構と、で構成され、
前記梁部材等下降工程では、前記昇降機構が前記吊り材を下降させることにより、前記作業対象階から前記所定の階数範囲の最下階までの階の梁部材等を下降させることを特徴とする請求項１から５何れかに記載の吊構造建物の構築方法。
【請求項７】
前記梁部材等昇降装置は、前記主ビームに上端が定着された吊り材と、
前記所定の階数範囲の最下階の梁部材等の下側に取り付けられ、前記吊り材を支持するとともに、前記吊り材に沿って昇降可能な昇降機構と、で構成され、
前記梁部材等下降工程では、前記昇降機構が前記吊り材に沿って下降することにより、前記作業対象階から前記所定の階数範囲の最下階までの階の梁部材等を下降させることを特徴とする請求項１から５何れかに記載の吊構造建物の構築方法。
【請求項８】
前記仮設の吊柱は内部に前記吊り材を挿通可能であり、
前記梁部材等の前記仮設の吊柱が接続された部位には貫通孔が設けられており、
前記昇降装置設置工程では、前記吊り材を前記仮設の吊柱の内部及び前記梁部材等の貫通孔を貫通するように前記梁部材等昇降装置を設置することを特徴とする請求項６又は７記載の吊構造建物の構築方法。
【請求項９】
前記梁部材等は、前記仮設の吊柱の接続された位置以外の部位に鉛直方向に並ぶように貫通孔が設けられており、
前記昇降装置設置工程では、前記貫通孔を挿通するように前記吊り材を設置することを特徴とする請求項６又は７記載の吊構造建物の構築方法。
【請求項１０】
前記所定の階数範囲の各階を上階から下階の順序で作業対象階とすることを特徴とする請求項１から９何れかに記載の吊構造建物の構築方法。
【請求項１１】
請求項１から１０何れかに記載の方法により構築されたことを特徴とする吊構造建物。
【発明の詳細な説明】
【技術分野】
【０００１】
本発明は、メガフレームに複数の梁床部材が吊持されて構成されてなる吊構造建物の構築方法に関する。
【背景技術】
【０００２】
従来より、複数の垂直部材の間に水平部材が架設されてなるメガフレームと、各階の床を構成する梁床部材と、各階の梁床部材の間及び最上階の梁床部材とメガフレームとの間を連結する吊柱とにより構成された吊構造建物が構築されている。
【０００３】
このような吊構造建物の構築方法として、例えば、特許文献１には、メガフレームを構築した後、地上において各階の梁床部材を積層した状態で成形し、これらの梁床部材をロッドにより連結し、水平部材の上に設置された昇降装置によりロッドを引き上げ、ロッドの上端をメガフレームを構成する水平部材に固定することにより、吊構造建物を構築する方法が記載されている。
【特許文献１】特許２７１７１４２号公報
【発明の開示】
【発明が解決しようとする課題】
【０００４】
しかしながら、上記の方法では、全ての梁床部材をロッドにより連結した状態で吊上げ作業を行うため、一度吊上げ作業を開始してしまうと、梁床部材が傾きを調整したり、梁床部材の高さを微調整したりすることができない。このため、梁床部材の傾きの調整や高さの微調整を行うためには、吊上げ作業を中止し、全ての梁床部材を地上に下ろして、ロッドを付け替え、再び吊上げ作業を行わなければならない。
【０００５】
本発明は、上記の問題に鑑みなされたものであり、その目的は、吊上げ作業中でも容易に梁床部材の傾きの調整や高さの微調整を行うことのできる吊構造建物の構築方法を提供することである。
【課題を解決するための手段】
【０００６】
本発明の吊構造建物の構築方法は、所定の階数範囲の各階の梁部材、梁床部材、又は床部材（以下、梁部材等という）が、所定の高さに支持された主ビームから、当該梁部材等と同じ階及びこれより上階の本設の吊柱を介して吊下された構成を有する吊構造建物を構築する方法であって、前記所定の階数範囲の階の梁部材等を前記本設の吊柱よりも短い仮設の吊柱で連結し、前記所定の高さに支持された主ビームと、前記所定の階数範囲の最上階の梁部材等とを前記仮設の吊柱又は前記本設の吊柱により連結し、また、前記主ビームに反力をとりながら、前記所定の階数範囲の最下階の梁部材等を下降させることが可能な梁部材等昇降装置を設置する梁部材等吊下工程、を行い、前記主ビームと前記所定の階数範囲の最上階の梁部材等とを前記仮設の吊柱により連結した場合には、前記所定の階数範囲の階の少なくとも一部の階を適宜な順序で作業対象階とし、また、前記主ビームと前記所定の階数範囲の最上階の梁部材等とを前記本設の吊柱により連結した場合には、前記所定の階数範囲の最上階を除く階の少なくとも一部の階を適宜な順序で作業対象階として、前記作業対象階の仮設の吊柱を撤去する仮設吊柱撤去工程と、前記梁部材等昇降装置により、前記作業対象階から前記所定の階数範囲の最下階までの階の梁部材等を、前記作業対象階の階高が所定の高さになるまで下降させる梁部材等下降工程と、前記作業対象階の梁部材等を前記作業対象階の直上の階の梁部材等又は前記主ビームに下方より前記本設の吊柱により接続する本設吊柱接続工程と、を行うことを特徴とする。
なお、前記少なくとも一部の階以外の階については、本発明の方法に限らず、適宜な方法により構築すればよい。
【０００７】
ここで、前記主ビームは、前記梁部材等の周囲に立設された支持部材により所定の高さに支持されており、前記梁部材等吊下工程は、前記支持部材を構築又は設置する支持部材構築工程と、前記主ビームを搬入又は地上において構築する主ビーム構築工程と、前記支持部材の上部に反力を取りながら、前記主ビームを揚重可能な揚重装置を設置する揚重装置設置工程と、前記揚重装置により適宜な高さまで前記主ビームを揚重し、前記主ビームを前記適宜な高さに保持し、前記梁部材等の間を前記仮設の吊柱で連結し、前記所定の階数範囲の最上階の梁部材等を前記本設の吊柱又は前記仮設の吊柱により前記主ビームに連結する梁部材等連結工程と、前記主ビームに反力をとりながら、前記所定の階数範囲の最下階の梁部材等を支持するとともに下降させることが可能な梁部材等昇降装置を設置する昇降装置設置工程と、前記主ビーム及び当該主ビームに連結された前記所定の階数範囲の梁部材等を前記揚重装置により、前記主ビームが前記所定の高さになるまで揚重し、前記支持部材に接続する主ビーム揚重工程と、で構成されてもよい。
【０００８】
また、前記主ビームは、前記梁部材等の周囲に立設された支持部材により所定の高さに支持されており、前記梁部材等吊下工程は、前記支持部材を構築又は設置する支持部材構築工程と、前記主ビームを搬入又は地上において構築する主ビーム構築工程と、前記支持部材の上部に反力を取りながら、前記主ビームを揚重可能な揚重装置を設置する揚重装置設置工程と、前記揚重装置により適宜な高さまで前記主ビームを揚重し、前記主ビームを前記適宜な高さに保持し、前記梁部材等の間を前記仮設の吊柱で連結する梁部材等連結工程と、前記主ビームに反力をとりながら、前記所定の階数範囲の最下階の梁部材等を支持するとともに下降させることが可能な梁部材等昇降装置を設置する昇降装置設置工程と、  前記主ビーム及び前記梁部材等昇降装置により支持された前記所定の階数範囲の梁部材等を、前記揚重装置により前記主ビームが前記所定の高さになるまで揚重し、前記支持部材に接続する主ビーム揚重工程と、で構成されてもよい。
【０００９】
また、前記部材上昇工程は、前記主ビームを所定の高さに構築又は設置する主ビーム設置工程と、前記梁部材等の間を前記仮設の吊柱で連結する梁部材等地組工程と、前記主ビームに反力をとりながら、前記所定の階数範囲の最下階の梁部材等を支持するとともに下降させることが可能な梁部材等昇降装置を設置する昇降装置設置工程と、前記梁部材等昇降装置により、前記所定の階数範囲の階の梁部材等を上昇させ、前記水平部材と、前記主ビームとを前記仮設の吊柱又は前記本設の吊柱で接続する梁部材等上昇工程と、で構成されてもよい。
【００１０】
また、前記梁部材等は、前記支持部材と連結部材を介して接続されており、前記梁部材等下降工程では、前記作業対象階の本設の吊柱を構築するとともに、前記作業対象階の前記梁部材等と前記支持部材とを前記連結部材により接続してもよい。
【００１１】
また、前記梁部材等昇降装置は、前記所定の階数範囲の最下階の梁部材等に下端が定着された吊り材と、前記主ビームに取り付けられ、前記吊り材の上部を支持するとともに前記吊り材を昇降させることが可能な昇降機構と、で構成され、前記梁部材等下降工程では、前記昇降機構が前記吊り材を下降させることにより、前記作業対象階から前記所定の階数範囲の最下階までの階の梁部材等を下降させさせてもよい。
【００１２】
また、前記梁部材等昇降装置は、前記主ビームに上端が定着された吊り材と、前記所定の階数範囲の最下階の梁部材等の下側に取り付けられ、前記吊り材を支持するとともに、前記吊り材に沿って昇降可能な昇降機構と、で構成され、前記梁部材等下降工程では、前記昇降機構が前記吊り材に沿って下降することにより、前記作業対象階から前記所定の階数範囲の最下階までの階の梁部材等を下降させてもよい。
【００１３】
また、前記仮設の吊柱は内部に前記吊り材を挿通可能であり、前記梁部材等の前記仮設の吊柱が接続された部位には貫通孔が設けられており、前記昇降装置設置工程では、前記吊り材を前記仮設の吊柱の内部及び前記梁部材等の貫通孔を貫通するように前記梁部材等昇降装置を設置してもよい。また、前記梁部材等は、前記仮設の吊柱の接続された位置以外の部位に鉛直方向に並ぶように貫通孔が設けられており、前記昇降装置設置工程では、前記貫通孔を挿通するように前記吊り材を設置してもよい。
また、前記所定の階数範囲の各階を上階から下階の順序で作業対象階としてもよい。
また、本発明の吊構造建物は、上記の方法により構築されたことを特徴とする。
【発明の効果】
【００１４】
本発明によれば、各階の梁床部材を一括してリフトアップした後、各階の梁部材等を適宜な順序で所定の高さまで下降させるため、吊上げ作業中であっても、梁床部材昇降装置により梁部材等を上昇又は下降させることにより全ての梁部材等を地上に下ろすことなく、容易に梁部材等の傾きの調整や階高の微調整を行うことができる。
【発明を実施するための最良の形態】
【００１５】
以下、本発明の吊構造の建物の構築方法の一実施形態を図面を参照しながら説明する。
図１は、本実施形態の構築方法により構築された吊構造建物１００の構成を示す正面図である。同図に示すように、本実施形態の吊構造建物１００は、複数の垂直部材（特許請求の範囲における支持部材に相当）２０及びこれらの垂直部材２０の間に架設された水平部材（特許請求の範囲における主ビームに相当）１０からなるメガフレーム３０と、２〜８階の床を構成する床スラブ及び梁が一体となった梁床部材４０と、水平部材１０と最上階（８階）の梁床部材４０の間及び各階の梁床部材４０の間を連結する吊柱５０と、垂直部材２０と各階の梁床部材４０とを連結する連結部材６０と、を備える。
【００１６】
図２は、吊柱５０を構成する部材を示す斜視図である。同図に示すように、吊柱５０は、軸方向に分割された一対の鋼管１５２をボルト接合することにより構成されており、梁床部材昇降装置１３０のロッド１３２を挿通可能であるとともに、組立及び撤去を容易に行うことができる。
【００１７】
図１に戻り、連結部材６０としては、梁床部材４０をメガフレーム３０の垂直部材２０に対して剛に接続できるように、剛性部材を用いる構成としてもよいし、ばね部材やダンパーなどを用いる構成としてもよい。
【００１８】
以下、このような吊構造建物１００の構築方法を説明する。
図３〜図６は、本実施形態の吊構造の建物の構築方法を説明するための図である。図３に示すように、まず、ＳＴＥＰ１において、メガフレーム３０を構成する垂直部材２０を構築し、この垂直部材２０の上部に反力をとるように鋼製の節つきのロッド１１２及びジャッキ１１１からなる水平部材昇降装置１１０を設置する。すなわち、垂直部材２０の上端にジャッキ１１１を設置し、このジャッキ１１１にロッド１１２の上部を取付ける。
なお、このようなジャッキ１１１としては、例えば、ロッド１１２に沿って昇降可能なシャックル付きのジャッキ（例えば、ＪＦＥシビル株式会社製）などが適している。また、ロッド１１２に代えて、鋼線や鋼材などを用いることもできる。なお、垂直部材２０は、予め構築されたものを設置してもよい。
【００１９】
次に、ＳＴＥＰ２において、地上に設置されたベント１４０上で、メガフレーム３０を構成する水平部材１０を構築する。そして、ジャッキ１１１から下方に延びるロッド１１２の下部に、水平部材１０を定着部１１３により定着させる。なお、水平部材１０は予め構築されたものを搬入してもよい。
【００２０】
次に、ＳＴＥＰ３において、ＳＴＥＰ４における水平部材１０の下方で６〜８階の梁床部材４０を地組する作業を行うことができるように、水平部材昇降装置１１０により水平部材１０を１フロア分上昇させ、この高さで保持する。
【００２１】
次に、ＳＴＥＰ４において、６〜８階の梁床部材４０を地上で構築するとともに、これらの階の梁床部材４０の間を本設の吊柱５０よりも短い仮設の吊柱１２０により連結する。そして、水平部材１０と８階の梁床部材４０の間を仮設の吊柱１２０により連結することにより、６〜８階の梁床部材４０を水平部材１０より吊下する。なお、仮設の吊柱１２０は、本設の吊柱５０と同様に、図２に示すような長さ方向に複数に分割された鋼管１５２からなり、内部にロッド１３２を挿通することができ、また、容易に組立て及び撤去することができる。また、２〜８階の梁床部材４０の仮設の吊柱１２０が接続される位置にも、ロッド１３２を貫通することができるように開口を設けておく。
【００２２】
次に、ＳＴＥＰ５において、ＳＴＥＰ６における地上で３〜５階の梁床部材４０を地組する作業を行うことができるように、水平部材昇降装置１１０により水平部材１０をさらに１フロア分上昇させ、この高さで保持する。
【００２３】
次に、ＳＴＥＰ６において、３〜５階の梁床部材４０を地上で構築するとともに、これらの階の梁床部材４０の間を仮設の吊柱１２０により連結する。そして、ＳＴＥＰ４で水平部材１０より吊下した６階の梁床部材４０の下方に、５階の梁床部材４０を仮設の吊柱１２０により連結し、３〜５階の梁床部材４０を６階の梁床部材４０の下方に吊下する。
【００２４】
次に、図４のＳＴＥＰ７において、ＳＴＥＰ８における地上において２階の梁床部材４０を構築する作業を行うことができるように、水平部材昇降装置１１０により水平部材１０を１フロア分上昇させる。
次に、ＳＴＥＰ８において、２階の梁床部材４０を地上において構築し、ＳＴＥＰ６において吊下した３階の梁床部材４０の下方に、仮設の吊柱１２０によりに連結する。これにより、２〜８階の梁床部材４０が水平部材１０より吊下された状態となる。
【００２５】
次に、ＳＴＥＰ９において、ジャッキ１３１と、ロッド１３２とで構成された梁床部材昇降装置１３０を、水平部材１０に反力をとりながら、２階の梁床部材４０を昇降可能なように設置する。すなわち、ロッド１３２を２〜８階の梁床部材４０の開口及び仮設の吊柱１２０の内部に挿通させる。そして、ロッド１３２の上端部を定着部１３３により水平部材１０に定着させ、ロッド１３２の２階の梁床部材４０の下方に突出した部分に、２階の梁床部材４０を下方から支持するようにジャッキ１３１を取付ける。なお、水平部材昇降装置１２０と同様に、ジャッキ１３１としては、例えば、ロッド１３２に沿って昇降可能なシャックル付きのジャッキなどが適しており、また、ロッド１３２に代えて、鋼線や鋼材などを用いることもできる。
【００２６】
次に、ＳＴＥＰ１０に示すように、水平部材１０を、水平部材昇降装置１１０により２〜８階の梁床部材４０を吊持した状態で、水平部材１０が所定の高さに到達するまで上昇させ、水平部材１０を垂直部材２０に接合する。
次に、ＳＴＥＰ１１に示すように、水平部材昇降装置１１０を解体して撤去する。
【００２７】
次に、ＳＴＥＰ１２において、８階の梁床部材４０と水平部材１０の間を連結する仮設の吊柱１２０を撤去し、梁床部材昇降装置１３０により２階の梁床部材４０を下降させることにより、２〜８階の梁床部材４０を８階の階高が所定の高さになるまでリフトダウンする。この際、梁床部材昇降装置１３０により、８階の階高を変更する場合には、梁床部材昇降装置１３０により適宜な高さに変更することが可能であり、また、８階の梁床部材４０に傾きがある場合には、梁床部材昇降装置１３０により水平になるように傾きを調整することも可能である。
【００２８】
次に、図５のＳＴＥＰ１３に示すように、８階の梁床部材４０と水平部材１０との間に、ロッド１３２を取り囲むように本設の吊柱５０を構築し、吊柱５０により８階の梁床部材４０を吊持する。また、８階の梁床部材４０と垂直部材２０との間に連結部材６０を設置する。
【００２９】
次に、図５のＳＴＥＰ１４〜図６のＳＴＥＰ１９に示すように、７階から２階の順序でリフトダウンの対象階として、ＳＴＥＰ１２−１〜１３と同様に、リフトダウン対象階の仮設の吊柱１２０を撤去し、リフトダウン対象階から最下階までの階の梁床部材４０を、リフトダウン対象階の階高が所定の高さになるまで梁床部材昇降装置１３０により下降させ、リフトダウン対象階とその上階との間を本設の吊柱５０により連結し、梁床部材４０と垂直部材２０の間に連結部材６０を設置する工程を繰り返す。この際、梁床部材昇降装置１３０により、リフトダウン対象階の階高を変更することが可能であり、また、梁床部材４０に傾きがある場合には、梁床部材昇降装置１３０により水平になるように調整することが可能である。
次に、図６のＳＴＥＰ２０に示すように、梁床部材昇降装置１３０を解体して撤去する。
以上の工程により、吊構造建物１００を構築することができる。
【００３０】
本実施形態の吊構造建物の構築方法によれば、メガフレーム３０を構成する水平部材１０により吊持された梁床部材４０を、上階から下階の順序で下降させることにより各階を所定の階高とするため、吊上げ作業中であっても、梁床部材昇降装置１３０により梁床部材４０を上昇又は下降させることにより全ての梁床部材４０を地上に下ろすことなく、容易に傾きの調整や階高の微調整を行うことができる。
【００３１】
なお、上記の実施形態では、３フロア分の梁床部材４０を構築するごとに水平部材１０を上昇させているが、これに限らず、１フロア分の梁床部材４０を構築し、水平部材１０を上昇させる工程を繰り返して構築してもよく、また、全フロア分の梁床部材４０を一度に構築してもよい。
【００３２】
上記の実施形態では、最上階の梁床部材４０を仮設の吊柱１２０により水平部材１０に連結した状態で、水平部材１０を所定の高さまで上昇させているが、これに限らず、梁床部材昇降装置１３０を水平部材１０に反力をとりながら、最下階の梁床部材４０を支持するように設置することで、最上階の仮設の吊柱１２０を省略することができる。以下、このような場合の梁床部材４０を水平部材１０に吊持する方法を説明する。
【００３３】
図７及び図８は、別の実施形態の梁床部材４０を水平部材１０に吊持する方法を説明するための図である。
図７に示すように、まず、ＳＴＥＰ１´において、メガフレーム３０を構成する垂直部材２０を構築し、垂直部材２０の上端にジャッキ１１１を設置し、このジャッキ１１１にロッド１１２の上部を取付け、水平部材昇降装置１１０を設置する。
【００３４】
次に、ＳＴＥＰ２´において、地上に設置されたベント１４０上において、メガフレーム３０を構成する水平部材１０を構築する。そして、して、ジャッキ１１１より下方に延びるロッド１１２の下部に、定着部１１３により水平部材１０を定着させる。
次に、ＳＴＥＰ３´において、水平部材１０を所定の高さにリフトアップし、地上のベント１４０上で２〜８階の梁床部材４０を構築し、梁床部材４０間を仮設の吊柱１２０で連結する。なお、水平部材１０は、８階の梁床部材４０と水平部材１０との間の距離が８階の階高と等しくなるようにリフトアップするとよい。
【００３５】
次に、ＳＴＥＰ４´において、ロッド１３２の上端部を水平部材１０に定着部１３３により定着させ、ロッド１３２を水平部材１０から垂下させる。そして、ロッド１３２を梁床部材４０及び仮設の吊柱１２０を挿通させ、ロッド１３２の最下階（２階）の梁床部材４０の下面より突出した部分に、ジャッキ１３１を２階の梁床部材４０を下方より支持するように取り付け、梁床部材昇降装置１３０を設置する。
【００３６】
次に、ＳＴＥＰ５´において、水平部材１０を、水平部材昇降装置１１０により２〜８階の梁床部材４０を吊持した状態で、水平部材１０が所定の高さに到達するまで上昇させ、水平部材１０を垂直部材２０に接合する。
次に、ＳＴＥＰ６´において、水平部材昇降装置１１０を解体し、撤去する。
次に、図８のＳＴＥＰ７´において、８階の本設の吊柱５０を構築し、また、８階の連結部材６０を取付ける。
以上の工程により、図５におけるＳＴＥＰ１３と同じ状態となる。このため、後の工程は、上記説明した図５のＳＴＥＰ１４〜図６のＳＴＥＰ２０と同様に行うことにより、吊構造建物１００を構築することができる。
【００３７】
また、上記の実施形態では、地上において、複数の梁床部材４０の間及び最上階の梁床部材４０と水平部材１０の間を仮設の吊柱１２０により連結し、梁床部材４０が連結された状態の水平部材１０を上昇させ、水平部材１０を垂直部材２０に接続することにより、梁床部材４０を水平部材１０に吊持させる構成としているが、これに限らず、例えば、水平部材１０を垂直部材２０に接続した後、梁床部材４０を水平部材１０に吊持させる構成としてもよい。
【００３８】
以下、梁床部材４０を水平部材１０に吊持する方法の別の実施形態を説明する。
図９及び図１０は、梁床部材４０を水平部材１０に吊持する方法の別の実施形態の流れを説明するための図である。
図９に示すように、まず、ＳＴＥＰ１´´において、メガフレーム３０を構成する垂直部材２０を構築し、垂直部材２０の上端にジャッキ１１１を設置し、このジャッキ１１１にロッド１１２の上部を取付け、水平部材昇降装置１１０を設置する。
【００３９】
次に、ＳＴＥＰ２´´において、地上に設置されたベント１４０上において、メガフレーム３０を構成する水平部材１０を構築する。そして、ジャッキ１１１より下方に延びるロッド１１２の下部に、定着部１１３により水平部材１０を定着させる。
次に、ＳＴＥＰ３´´において、水平部材昇降装置１１０により、水平部材１０を上昇させて、垂直部材２０と接続する。
次に、ＳＴＥＰ４´´において、水平部材昇降装置１１０を解体し、地上にベント１４０を設置する。
【００４０】
次に、ＳＴＥＰ５´´において、地上のベント１４０上で２〜８階の梁床部材４０を構築し、梁床部材４０間を仮設の吊柱１２０で連結する。そして、ロッド１３２の上端部を水平部材１０に定着部１３３により定着させ、ロッド１３２を水平部材１０から垂下させる。そして、ロッド１３２を梁床部材４０及び仮設の吊柱１２０を挿通させ、ロッド１３２の最下階（２階）の梁床部材４０の下面より突出した部分に、ジャッキ１３１を２階の梁床部材４０を下方より支持するように取り付け、梁床部材昇降装置１３０を設置する。
【００４１】
次に、ＳＴＥＰ６´´において、梁床部材昇降装置１３０により、最上階（８階）の梁床部材４０が所定のレベルに到達するまで、梁床部材昇降装置１３０により梁床部材４０を上昇させる。
次に、図１０のＳＴＥＰ７´´において、８階の本設の吊柱５０を構築し、また、８階の連結部材６０を取付ける。
【００４２】
以上の工程により、図５のＳＴＥＰ１３と同じ状態となる。このため、後の工程は、上記説明した図５のＳＴＥＰ１４〜図６のＳＴＥＰ２０と同様に行うことにより、吊構造建物１００を構築することができる。
【００４３】
なお、上記の各実施形態では、梁床部材昇降装置１３０を、本設の吊柱５０が設置される位置に取り付けた場合について説明したが、これに限らず、梁床部材４０の本設の吊柱５０と異なる位置に開口を設けて、この開口にロッド１３２を挿通させることにより、梁床部材昇降装置１３０を本設の吊柱５０と異なる位置に設置することもできる。このように、梁床部材昇降装置１３０を本設の吊柱５０と異なる位置に設ける場合には、本設の吊柱５０はロッド１３２を挿通可能な構成にする必要はない。
【００４４】
また、上記の各実施形態では、梁床部材昇降装置１３０を、ロッド１３２の上部を定着部１３３により水平部材１０に定着させ、ジャッキ１３１をロッド１３２の最下階の梁床部材４０を下面より突出した部分に、最下階の梁床部材４０を下方から支持するように設置する構成としたが、これに限らず、ロッド１３２の下端部を定着部１３３により最下階の梁床部材４０に定着し、ロッド１３２の上端部にジャッキ１３１を水平部材１０上に反力を取ることができるように設置する構成としてもよい。
【００４５】
また、上記の各実施形態では、上階から下階の順序で梁床部材４０を所定の高さに下降させ、吊柱５０を構築する構成としたが、これに限らず、下階から上階の順で梁床部材４０を所定の高さに下降させてもよく、また、中間の階の梁床部材４０を先行して下降させてもよく、要するにどのような順序で梁床部材を下降させてもかまわない。なお、図７〜図８を参照して説明した方法及び図９〜図１０を参照して説明した方法により、梁床部材４０を水平部材１０に吊持させる場合には、最上階（上記の例では８階）を最初に所定の階高にしなければならないが、その後の順序は問わない。
【００４６】
以下、このように下階から上階の順で梁床部材４０を所定の高さに下降させる方法について説明する。なお、以下の説明では、梁床部材昇降装置１３０を本設の吊柱５０と異なる位置に設置している。
図１１及び図１２は、下階から上階の順で梁床部材４０を下降させる方法を示す図である。下階から上階の順で梁床部材４０をリフトダウンする場合には、図４〜図６のＳＴＥＰ１２〜ＳＴＥＰ２０の工程に変えて、図１１及び図１２のＳＴＥＰ１２´〜ＳＴＥＰ２０´を行えばよい。
【００４７】
すなわち、まず、上記実施形態と同様に、図３及び図４に示すＳＴＥＰ１〜ＳＴＥＰ１１に示す工程を行い、２〜８階の梁床部材４０が水平部材１０から仮設の吊柱１２０を介して吊持された状態とする。なお、ＳＴＥＰ９における梁床部材昇降装置１３０を設置する工程では、梁床部材４０の鉛直方向に略直線上に並ぶように開口を設け、この開口にロッド１３２を挿通させ、ロッド１３２の上端部に水平部材１０に反力をとるようにジャッキ１３１を設置するとともに、ロッド１３２の下端部を２階の梁床部材４０を下方から支持するように定着部１３３により定着させることにより、梁床部材昇降装置１３０を吊柱５０と異なる位置に設置しておく。
【００４８】
次に、図１１に示すように、ＳＴＥＰ１２´において、２階の仮設の吊柱１２０を撤去し、梁床部材昇降装置１３０により、２階の梁床部材４０と３階の梁床部材４０との間が所定の階高になるまで、２階の梁床部材４０を下降させる。この際、図４のＳＴＥＰ１０−１と同様に、梁床部材昇降装置１３０により、２階の階高を変更することができる。
次に、ＳＴＥＰ１３´において、２階の梁床部材４０と３階の梁床部材４０を連結するように２階の本設の吊柱５０を構築し、２階の梁床部材４０を本設の吊柱５０により吊持する。
【００４９】
次に、図１１のＳＴＥＰ１４´〜図１２のＳＴＥＰ１９´において、３階から８階の順序でリフトダウン対象階として、ＴＥＰ１２´〜ＳＴＥＰ１３´と同様に、リフトダウン対象階の仮設の吊柱１２０を撤去し、リフトダウン対象階から最下階までの階の梁床部材４０をリフトダウン対象階の階高が所定の高さになるまで下降させ、リフトダウン対象階とその上階の梁床部材４０の間を本設の吊柱５０により連結する工程を行う。この際、梁床部材昇降装置１３０により、リフトダウン対象階の階高を変更することが可能である。
【００５０】
次に、ＳＴＥＰ２０´において、各階の梁床部材４０と、垂直部材２０とを連結部材６０により接続し、梁床部材昇降装置１３０を解体し撤去する。
以上説明したように、下階から上階の順序で梁床部材４０を下降させる方法によっても、吊構造建物１００を構築することができる。
【００５１】
なお、上記各実施形態では、梁床部材４０と垂直部材２０の間に連結部材６０が介装された構成の吊構造建物１００を構築する場合について説明したが、これに限らず、連結部材６０を省略することも可能であり、この場合には、連結部材６０を取付ける工程が不要となる。
また、上記各実施形態では、各階の梁と床が一体となった梁床部材４０が吊持された吊構造建物１００を構築する場合について説明したが、これに限らず、梁と床が別体であり梁部材のみが吊持された吊構造建物に対しても本発明を適用することができる。
また、上記各実施形態では、吊柱５０により吊持された全ての階の梁床部材４０を本発明の方法により構築する場合について説明したが、これに限らず、一部の階のみを本発明の方法により構築することも可能である。
【図面の簡単な説明】
【００５２】
【図１】本実施形態の構築方法により構築された吊構造建物の構成を示す図である。
【図２】吊柱を構成する鋼管を示す図である。
【図３】本実施形態の吊構造の建物の構築方法を説明するための図（その１）である。
【図４】本実施形態の吊構造の建物の構築方法を説明するための図（その２）である。
【図５】本実施形態の吊構造の建物の構築方法を説明するための図（その３）である。
【図６】本実施形態の吊構造の建物の構築方法を説明するための図（その４）である。
【図７】複数の梁床部材を水平部材に吊持する方法の別の実施形態の流れを説明するための図（その１）である。
【図８】複数の梁床部材を水平部材に吊持する方法の別の実施形態の流れを説明するための図（その２）である。
【図９】複数の梁床部材を水平部材に吊持する方法のさらに別の実施形態の流れを説明するための図（その１）である。
【図１０】複数の梁床部材を水平部材に吊持する方法のさらいに別の実施形態の流れを説明するための図（その２）である。
【図１１】下階から上階の順で梁床部材をリフトダウンする方法を示す図（その１）である。
【図１２】下階から上階の順で梁床部材をリフトダウンする方法を示す図（その２）である。
【符号の説明】
【００５３】
１０  水平部材
２０  垂直部材
３０  メガフレーム
４０  梁床部材
５０  （本設の）吊柱
６０  連結部材
１００  吊構造建物
１１０  水平部材昇降装置
１１１  ジャッキ
１１２  ロッド
１１３  定着部
１２０  仮設の吊柱
１３０  梁床部材昇降装置
１３１  ジャッキ
１３２  ロッド
１３３  定着部
１５２  分割された鋼管
【図２】
2008280679.tif 000003
【図１】
2008280679.tif 000004
【図３】
2008280679.tif 000005
【図４】
2008280679.tif 000006
【図５】
2008280679.tif 000007
【図６】
2008280679.tif 000008
【図７】
2008280679.tif 000009
【図８】
2008280679.tif 000010
【図９】
2008280679.tif 000011
【図１０】
2008280679.tif 000012
【図１１】
2008280679.tif 000013
【図１２】
2008280679.tif 000014